(57)【要約】  ケーシングの段差に対する寸法公差を吸収可能なケーシング用カバーを提供する。ケーシング用カバー１０は、ケーシング１２の上段面１４の開口２２Ａ〜２２Ｃを覆う上段カバー３０と、ケーシング１２の下段面１６の開口２２Ｄを覆う下段カバー３２とを備えている。さらに、上段カバー３０及び下段カバー３２の一方には段差の高さ方向に貫通する挿入口３６が形成され、上段カバー３０及び下段カバー３２の他方には、挿入口３６に挿入され、段差の高さ方向の長さＬ２が段差の高さの最大許容寸法値Ｌ０＋ｄより長くなるように構成されたガイド部材３８が設けられている。さらに、上段カバー３０と下段カバー３２とを連結してガイド部材３８が挿入口３６から抜けることを防止する連結部材４０が設けられている。
2012070140.tif 000002
【特許請求の範囲】
【請求項１】
段差によって繋がれた上段面と下段面に開口を有するケーシングの前記開口を覆うカバーであって、
前記上段面の前記開口を覆う上段カバーと、
前記下段面の前記開口を覆う下段カバーと、
を備え、
前記上段カバー及び下段カバーの一方には、前記段差の高さ方向に貫通する挿入口が形成され、
前記上段カバー及び前記下段カバーの他方には、前記挿入口に挿入され、前記段差の高さ方向の長さが前記段差の高さの最大許容寸法値より長いガイド部材が設けられ、
前記上段カバーと前記下段カバーとを連結して前記ガイド部材が前記挿入口から抜けることを防止する連結部材が設けられていることを特徴とする、ケーシング用カバー。
【請求項２】
請求項１記載のケーシング用カバーであって、
前記挿入口の開口形状は非円形であって、
前記ガイド部材の前記段差の高さ方向に垂直な断面形状が前記開口形状に適合した形状であることを特徴とするケーシング用カバー。
【請求項３】
請求項１記載のケーシング用カバーであって、
前記上段カバー及び前記下段カバーの一方には前記段差の高さ方向に貫通する第二の挿入口が形成され、前記ケーシングには前記第二の挿入口に対応する位置に前記第二の挿入口に挿入される回り止めピンが設けられていることを特徴とする、ケーシング用カバー。
【発明の詳細な説明】
【技術分野】
【０００１】
本発明は、ケーシング用カバーに関する。
【背景技術】
【０００２】
高電圧機器を備える車両等においては、図８に示すようなケーシング１００内に高電圧機器を収容し、高電圧機器を保護するとともに、車両の整備点検等を行う作業者等が高電圧機器に接触することを防止している。ケーシング１００の壁面には複数の開口が設けられている。この開口は高電圧機器の入力端子や出力端子に接続するケーブル１０２を挿入するためのケーブル挿入用開口１０４と、ケーブル端子１０３と高電圧機器の入力端子または出力端子とをねじ等の締結部材によって固定する際に工具を挿入するための工具挿入用開口１０６とを含んで構成されている。【０００３】
図８や特許文献１に示されているように、工具挿入用開口１０６はターミナルカバー１０８と呼ばれる保護カバーに覆われる。ターミナルカバー１０８は工具挿入用開口１０６の配置に沿った形状の板状部材であり、ねじ等の締結部材によって壁面１１０に固定される。高電圧機器の入力端子や出力端子へのケーブル端子１０３の取り付け作業や取り外し作業に際しては、まずターミナルカバー１０８をケーシング１００から外して工具挿入用開口１０６を露出させ、その後に工具を工具挿入用開口１０６に挿入する。
【先行技術文献】
【特許文献】
【０００４】
【特許文献１】特開２００８−２７９９７３号公報
【発明の概要】
【発明が解決しようとする課題】
【０００５】
近年、ケーシングの小型化への要求に応えるため、図９に示すように、工具挿入用開口１０６が設けられた壁面を上段面１１８と下段面１２０とからなる段差形状としたケーシング１２２が開発されている。上段面１１８と下段面１２０の両者に工具挿入用開口１０６が設けられているため、どちらの面もターミナルカバーで覆う必要がある。そこで、図１０に示すように上段面１１８と下段面１２０との段差高さの設計値Ｌ０と等しい高さの段差部１２４を設けた段差形状のターミナルカバー１２６により上段面１１８と下段面１２０を覆うことが考えられる。【０００６】
ここで、ケーシング１２２の段差高さには設計値Ｌ０から所定の幅を持たせた最大許容寸法値と最小許容寸法値が定められており、個々のケーシング１２２の段差は最大許容寸法値から最小許容寸法値までの値を取り得る。図１１には、段差高さが最小許容寸法値であるケーシング１２２にターミナルカバー１２６を取り付けた様子が示されている。この場合、ターミナルカバー１２６の上段部１２８がケーシング１２２の上段面１１８から浮いてしまう。一方、図１２に示すように、段差高さが最大許容寸法値であるケーシング１２２にターミナルカバー１２６を取り付けると、ターミナルカバー１２６の下段部１３０がケーシング１２２の下段面１２０から浮いてしまう。このようにターミナルカバーの段差高さを固定すると、ターミナルカバーがケーシング１２２の段差の寸法公差を吸収できずに工具挿入用開口１０６の遮蔽が不完全となってしまう場合があった。【０００７】
そこで、本発明は、ケーシングの段差の寸法公差を吸収可能なケーシング用カバーを提供することを目的とする。
【課題を解決するための手段】
【０００８】
本発明はケーシングの開口を覆うカバーに関するものである。ケーシングには段差が形成され、段差によって繋がれた上段面と下段面とに開口が形成されている。カバーは上段面の開口を覆う上段カバーと、下段面の開口を覆う下段カバーとを備えている。上段カバー及び下段カバーの一方には段差の高さ方向に貫通する挿入口が形成され、上段カバー及び下段カバーの他方には、挿入口に挿入され、段差の高さ方向の長さが段差の高さの最大許容寸法値より長くなる様に構成されたガイド部材が設けられている。さらに、上段カバーと下段カバーとを連結してガイド部材が挿入口から抜けることを防止する連結部材が設けられている。【０００９】
また、上記発明において、挿入口の開口形状は非円形であって、ガイド部材の段差の高さ方向に垂直な断面形状が開口形状に適合した形状であることが好適である。【００１０】
また、上記発明において、上段カバー及び下段カバーの一方には段差の高さ方向に貫通する第二の挿入口が形成され、ケーシングには第二の挿入口に対応する位置に第二の挿入口に挿入される回り止めピンが設けられていることが好適である。
【発明の効果】
【００１１】
本発明に係るケーシング用カバーによれば、ケーシングの段差の寸法公差を吸収することができる。
【図面の簡単な説明】
【００１２】
【図１】本実施形態に係るターミナルカバーを例示する図である。
【図２】本実施形態に係るターミナルカバーをケーシングに取り付けた際の図である。
【図３】本実施形態に係るターミナルカバーをケーシングに取り付けた際の図である。
【図４】本実施形態に係るターミナルカバーをケーシングに取り付けた際の図である。
【図５】他の実施形態に係るターミナルカバーを例示する図である。
【図６】他の実施形態に係るターミナルカバーをケーシングに取り付けた際の図である。
【図７】他の実施形態に係るターミナルカバーをケーシングに取り付けた際の図である。
【図８】従来のケーシングを例示する図である。
【図９】小型化されたケーシングを例示する図である。
【図１０】段差形状のターミナルカバーを例示する図である。
【図１１】段差形状のターミナルカバーをケーシングに取り付けた際の図である。
【図１２】段差形状のターミナルカバーをケーシングに取り付けた際の図である。
【発明を実施するための形態】
【００１３】
本実施形態に係るターミナルカバー１０は図１に示すようなケーシング１２に取り付けられる。ケーシング１２は中空の筐体であり、ケーシング１２の内部には図示しない高電圧機器が収容される。ケーシング１２は高電圧機器を保護し得る機械的強度を有する部材から構成され、例えばアルミ等の金属材料から構成される。またケーシング１２は絶縁材料を介して高電圧機器を支持しており、ケーシング１２に触れても高電圧機器とは導通しない構造となっている。なお、ケーシング１２および高電圧機器は例えば回転電機を駆動源として含む車両に搭載され、高電圧機器としては例えばバッテリーの直流電力を昇圧するＤＣ／ＤＣコンバータや昇圧後の直流電力を交流電力に変換するインバータ等が含まれる。
【００１４】
また、ケーシング１２は段差形状を備えており、上段面１４と下段面１６が段差面１８によって繋がっている。なお、図１では段差がケーシング１２の天面に形成されているが、側面または底面に形成されていてもよい。
【００１５】
上段面１４と下段面１６との段差高さ（図１のｚ軸方向の長さ）には許容限界寸法が定められている。すなわち、寸法公差を２ｄとすると、段差高さの設計値Ｌ０に対して最大許容寸法値Ｌ０＋ｄと最小許容寸法値Ｌ０−ｄが定められている。ケーシング１２を製作したときの段差が最小許容寸法値以上最大許容寸法値以下であればケーシング１２は適格品として扱われ、この範囲から外れている場合は欠格品として扱われる。つまり個々のケーシング１２の段差高さは最小許容寸法値Ｌ０−ｄから最大許容寸法値Ｌ０＋ｄまでの値を取り得る。最大許容寸法値Ｌ０＋ｄ及び最小許容寸法値Ｌ０−ｄはいわゆる普通許容差から求めてもよい。
【００１６】
ケーシング１２の側面にはケーシング１２の内部に収容された図示しない高電圧機器の入力端子及び出力端子にケーブル端子を差し込むためのケーブル挿入用開口２０Ａ〜Ｄが設けられている。また、ケーシング１２の上段面１４及び下段面１６には入力端子または出力端子にケーブル端子を固定する工具を挿入するための工具挿入用開口２２Ａ〜Ｄが設けられている。図１に示す実施形態では、上段面１４に工具挿入用開口２２Ａ〜２２Ｃが設けられ、下段面１６に工具挿入用開口２２Ｄが設けられている。
【００１７】
高電圧機器の入力端子または出力端子とケーブル端子とはねじ等の締結部材により固定される。例えば入力端子及び出力端子のねじ穴とケーブル端子に設けられたねじ穴を位置合わせした上でねじ固定する。固定に際してドライバー等の締結工具が工具挿入用開口２２Ａ〜２２Ｄに挿入される。
【００１８】
本実施形態に係るターミナルカバー１０は工具挿入用開口２０Ａ〜２０Ｄを塞ぐように構成されている。すなわち、ターミナルカバー１０は、ケーシング１２の上段面１４の工具挿入用開口２２Ａ〜２２Ｃを塞ぐ上段カバー３０と、ケーシング１２の下段面１６の工具挿入用開口２２Ｄを塞ぐ下段カバー３２を含んで構成されている。上段カバー３０、下段カバー３２は作業者等から荷重を掛けられた際に折れ曲がることのないような機械的強度を備えた部材から構成され、例えばアルミ等の金属材料から構成される。
【００１９】
上段カバー３０は工具挿入用開口２２Ａ〜２２Ｃの配置に沿った形状の板状部材であり、下段カバー３２は工具挿入用開口２２Ｄの配置に沿った形状の板状部材として構成されている。例えば図１においては上段面１４の工具挿入用開口２２Ａ〜２２Ｃの配置がＬ字状であるため、上段カバー３０もＬ字形状となっている。また、上段カバー３０及び下段カバー３２には、ケーシング１２の上段面１４及び下段面１６に設けられた固定用穴３４に対応する位置に固定用穴３５が設けられている。上段カバー３０を上段面１４に固定させ、下段カバー３２を下段面１６に固定する際には、両カバーの固定用穴３４と両段面の固定用穴３５とを位置合わせした後にねじ等の締結部材により両者を締結固定する。
【００２０】
また、下段カバー３２にはインターロックキー４２が設けられている。インターロックキー４２は、ケーシング１２内に設けられたインターロック装置４１の、工具挿入用開口２２Ｄに対応する位置に形成されたキー挿入口４３に挿入可能となっている。インターロックキー４２がキー挿入口４３から抜かれるとインターロック装置４１はケーシング１２内の高電圧機器への電力供給を遮断する。具体的にはバッテリーと高電圧機器とを結ぶ配線に設けられたシステムメインリレーを接続状態から切断状態に切り換える。なお、図１に示す実施形態ではインターロックキー４２を下段カバー３２に設けたが、この形態に限られない。要するにキー挿入口４３に対応する位置にインターロックキー４２が設けられていればよく、例えばキー挿入口４３を工具挿入用開口２２Ａ〜Ｃのいずれかに設けるとともに、キー挿入口４３が設けられた工具挿入用開口に対応する上段カバー３０の位置にインターロックキー４２を設けてもよい。
【００２１】
また、上段カバー３０には段差高さ方向（図１のｚ軸方向）に貫通する挿入口３６が設けられている。一方、下段カバー３２には挿入口３６に挿入されるガイド部材３８が設けられている。ガイド部材３８は作業者等から荷重が掛けられても折れ曲がることのないような機械的強度を備えた部材から構成され、例えばアルミ等の金属材料から構成される。また、ガイド部材３８は上段カバー３０と一体成形してもよく、別部材の上段カバー３０とガイド部材３８とを溶接等により固定してもよい。
【００２２】
ガイド部材３８は下段カバー３２から段差高さ方向に延びており、図２に示すように、段差高さ方向の長さＬ２がケーシング１２の段差高さの最大許容寸法値Ｌ０＋ｄより長く（Ｌ２＞Ｌ０＋ｄ）なるように構成されている。ここで、ガイド部材３８の段差方向高さＬ２は下段カバー３２の底面３３からの高さを指すものとする。また、ガイド部材３８の段差高さ方向に対する垂直断面（図１のｘｙ平面）の形状は、挿入口３６の形状に適合した形状となっている。図１では挿入口３６およびガイド部材３８の断面形状を矩形としている。
【００２３】
挿入口３６とガイド部材３８との間にはわずかな隙間が設けられており、挿入口３６に挿入されたガイド部材３８は上段カバー３０に固定されないようになっている。さらに上段カバー３０はガイド部材３８に沿って段差高さ方向にスライド可能となっている。その結果、段差高さ方向について、上段カバー３０と下段カバー３２との相対距離Δｚを調節することが可能となっている。ここで相対距離Δｚとは、下段カバー３２の底面３３と上段カバー３０の底面３１との段差高さ方向（ｚ軸方向）の相対距離を指すものとする。
【００２４】
また、上段カバー３０と下段カバー３２は連結部材４０により連結されている。連結部材４０は上段カバー３０と下段カバー３２との相対距離Δｚが変化しても両者を連結し得る部材から構成され、例えば樹脂等の可撓性材料から構成される。連結部材４０は例えばねじ等の締結部材により上段カバー３０および下段カバー３２に固定されている。
【００２５】
図２に示すように、連結部材４０は段差高さ方向の最大長さＬ１がガイド部材３８の段差高さ方向の長さＬ２よりも短くなる（Ｌ１＜Ｌ２）ように構成されている。ここで、連結部材４０の最大長さＬ１とは、連結部材４０を段差高さ方向に引っ張ったときの下段カバー３２の底面３３（下段面１６と接する面）から上段カバー３１の底面３１（上段面１４と接する面）に至るまでの段差高さ方向の長さを指すものとする。連結部材４０の最大長さＬ１をガイド部材３８の高さＬ２よりも短く構成することにより、ガイド部材３８が挿入口３６から抜けることを防ぐことができる。
【００２６】
また、連結部材４０は上段カバー３０と下段カバー３２との相対距離Δｚの上限を定める役割も有する。すなわち、連結部材４０の最大長さＬ１以上には上段カバー３０と下段カバー３２とを離間できない。この点において、連結部材４０の最大長さＬ１が段差高さの最大許容寸法値Ｌ０＋ｄ以上（Ｌ１≧Ｌ０＋ｄ）の長さであると好適である。こうすることによって、上段カバー３０と下段カバー３２との相対距離Δｚを段差高さの最小許容寸法値Ｌ０−ｄから最大許容寸法値Ｌ０＋ｄまで調整することが可能となる。
【００２７】
なお、図１、２では上段カバー３０に挿入口３６を備え、下段カバー３２にガイド部材３８を設けたが、この形態に限られない。要するに上段カバー３０と下段カバー３２との相対距離Δｚを調整可能とする構成であればよく、例えば上段カバー３０にガイド部材３８を設け、下段カバー３２に挿入口３６を設けてもよい。この場合、ガイド部材３８の高さＬ２は上段カバーの底面３１からの高さを示し、また連結部材４０の最大長さＬ１は上段カバー３０の底面３１から下段カバー３２の底面３３までの高さを指すものとする。
【００２８】
次に、本実施形態に係るターミナルカバー１０のケーシング１２への取り付けについて説明する。図２に示すように、ケーシング１２の段差高さが最大許容寸法値Ｌ０＋ｄである場合、上段カバー３０と下段カバー３２との相対距離Δｚを段差高さの最大許容寸法値Ｌ０＋ｄに調整する。これにより、上段カバー３０をケーシング１２の上段面１４に固定し、かつ、下段カバー３２をケーシング１２の下段面１６に固定することが可能となる。同様に、図３に示すように、ケーシング１２の段差高さが最小許容寸法値Ｌ０−ｄである場合、上段カバー３０と下段カバー３２との相対距離Δｚを段差高さの最大許容寸法値Ｌ０−ｄに調整する。これにより、上段カバー３０をケーシング１２の上段面１４に固定し、かつ、下段カバー３２をケーシング１２の下段面１６に固定することが可能となる。このように、本実施形態におけるターミナルカバー１０は上段カバー３０と下段カバー３２との段差高さ方向の相対距離を可変にできるため、ケーシング１２の段差高さに対する寸法公差を吸収してケーシング１２の上段面１４及び下段面１６を塞ぐことができる。
【００２９】
また、本実施形態に係るターミナルカバー１０は、インターロック装置４１が作動せずに工具挿入用開口２２Ａ〜２２Ｄのいずれかが露出してしまうことを防止する構造を備えている。これについて以下に説明する。なお、以下ではインターロックキー４２は下段カバー３２に設けられているものとする。図４に示すように、下段カバー３２はねじ等の締結部材４４により下段面１６に固定され、その一方で上段カバー３０は締結部材４４が外されている。この場合、上段カバー３０は連結部材４０の最大長さＬ１以上に段差高さ方向（図４のｚ方向）に持ち上げることができない。その一方でガイド部材３８の段差高さ方向の長さＬ２は連結部材４０の最大長さＬ１以上となっている。その結果上段カバー３０をガイド部材３８から外すことはできない。また、挿入口３６およびガイド部材３８は矩形形状をしているため、上段カバー３０をｘｙ平面上に回転させて工具挿入用開口２２Ａ〜２２Ｃを露出させることもできない。さらに上述した様に作業者等が荷重をかけても折れ曲がらないようにガイド部材３８の機械的強度を定めているため、ガイド部材３８を折り曲げて上段カバー３０をケーシング１２の上段面１４に対してめくり上げることもできない。結局下段カバー３２に締結されている締結部材４４を取り外し、上段カバー３０と下段カバー３２とを一緒に取り外さなければいずれの工具挿入用開口２２Ａ〜２２Ｄも露出しない。下段カバー３２を取り外す際には下段カバー３２に設けられたインターロックキー４２がインターロック装置４１のキー挿入口４３から抜かれてインターロック装置が作動する。このように、本実施形態に係るターミナルカバー１０によれば、工具挿入用開口２２Ａ〜２２Ｄのいずれか一つが露出するときにはインターロック装置４１が作動して高電圧機器への電力供給が遮断するようになっている。これにより、工具挿入用開口２２Ａ〜２２Ｄに工具を挿入して整備点検等を行う作業者の安全を図ることができる。
【００３０】
なお、上述した実施形態においては、挿入口３６およびガイド部材３８の断面形状を矩形としたが、この形状に限られない。要するに上段カバー３０のｘｙ平面上の回動を防止できる構造であればよく、矩形に代えて任意の非円形の形状としてもよい。さらに、挿入口３６を複数設けることにより上段カバー３０の回動を防止するようにしてもよい。後者の場合においては挿入口３６及びガイド部材３８の断面形状は円形であっても非円形であってもよい。
【００３１】
挿入口３６を複数設けた実施形態を図５に示す。ターミナルカバー１０の上段カバー３０には第一の挿入口５０と第二の挿入口５２が設けられている。第一の挿入口５０にはガイド部材３８が挿入される。また、ケーシング１２の上段面１４には第二の挿入口５２に対応する位置に回り止めピン５４が設けられ、図６に示すように第二の挿入口５２には回り止めピン５４が挿入される。なお、図５、６に示す実施形態では上段カバー３０に第二の挿入口５２を設けたが、この形態に限られない。要するに、インターロックキー４２およびキー挿入口４３の設けられていない側に第二の挿入口５２および回り止めピン５４が設けられていればよく、例えば上段面１４の工具挿入用開口２２Ａ〜２２Ｃのいずれかにキー挿入口４３を設けるとともに上段カバー３０にインターロックキー４２を設け、下段カバー３２に第二の挿入口５２を設けるとともに下段面１６に回り止めピン５４を設けてもよい。
【００３２】
回り止めピン５４はケーシング１２の上段面１４から段差高さ方向（図５、６のｚ軸方向）に延びており、上段カバー３０と下段カバー３２との相対距離Δｚが最大のときであっても第二の挿入口５２から回り止めピン５４が抜けないように回り止めピン５４の段差高さ方向の長さＬ３が定められている。具体的には図７に示すように、連結部材４０の最大長さＬ１と、ケーシング１２の段差高さの最小許容寸法値Ｌ０−ｄとの差より長く（Ｌ３＞Ｌ１−（Ｌ０−ｄ））なるように回り止めピン５４の段差高さ方向の長さＬ３が定められる。
【００３３】
回り止めピン５４とガイド部材３８との協働により上段カバー３０の回動が防止される。図６、図７では図４と同様に上段カバー３０の締結部材４４が外され、一方で下段カバー３２は締結部材４４により下段面１６に固定されている状態が示されている。図７に示すように、上段カバー３０と下段カバー３２の相対距離Δｚは連結部材４０によって規制され、下段カバー３２に対して上段カバー３０をＬ１以上に離間させることはできない。一方、回り止めピン５４の長さＬ３とケーシング１２の段差高さ最小許容寸法値Ｌ０−ｄの和は連結部材４０の最大長さＬ１より長くなるように構成されている。したがって回り止めピン５４を第二の挿入口５２から抜くことはできない。また上述したようにガイド部材３８を第一の挿入口５０から抜くことはできない。この結果、ガイド部材３８と回り止めピン５４とによって上段カバー３０の回動が規制される。
【符号の説明】
【００３４】
１０  ターミナルカバー、１２  ケーシング、１４  ケーシング上段面、１６  ケーシング下段面、１８  段差面、２０  ケーブル挿入用開口、２２  工具挿入用開口、３０  上段カバー、３１  上段カバー底面、３２  下段カバー、３３  下段カバー底面、３４  ケーシング側固定用穴、３５  ターミナルカバー側固定用穴、３６  挿入口、３８  ガイド部材、４０  連結部材、４１  インターロック装置、４２  インターロックキー、４３  キー挿入口、４４  締結部材、５０  第一の挿入口、５２  第二の挿入口、５４  回り止めピン。
【図１】
2012070140.tif 000003
【図２】
2012070140.tif 000004
【図３】
2012070140.tif 000005
【図４】
2012070140.tif 000006
【図５】
2012070140.tif 000007
【図６】
2012070140.tif 000008
【図７】
2012070140.tif 000009
【図８】
2012070140.tif 000010
【図９】
2012070140.tif 000011
【図１０】
2012070140.tif 000012
【図１１】
2012070140.tif 000013
【図１２】
2012070140.tif 000014
【国際調査報告】
2012070140.tif 000015
2012070140.tif 000016
2012070140.tif 000017